(57)【要約】【課題】依頼者の希望に沿った、複数の車両が協力した場合に取得可能な車両の走行状況データを収集可能な車両の走行状況データ収集システム及びサーバが提供される。【解決手段】複数の情報処理装置は、複数の車両において、それぞれの車両の走行状況データを取得し、サーバは、依頼者により設定された、車両の走行状況データ収集の依頼の内容を含む依頼データを少なくとも一つ含む依頼データ群を記憶し、依頼データを、一の車両の情報処理装置へ送信し、一の車両の情報処理装置またはサーバは、他の車両の情報処理装置に対して、走行状況データを取得することへの協力を要請し、一の車両の情報処理装置は、受信した依頼データに基づいて、他の車両と協力して取得した走行状況データをサーバへ送信する、車両の走行状況データ収集システム。【選択図】図１
2020160675.tif 000002
【特許請求の範囲】
【請求項１】
車両の走行状況データ収集システムは、
複数の情報処理装置と、
サーバと、
を含み、
前記複数の情報処理装置は、
複数の車両において、それぞれの車両の走行状況データを取得し、
前記サーバは、
依頼者により設定された、車両の走行状況データ収集の依頼の内容を含む依頼データを少なくとも一つ含む依頼データ群を記憶し、
前記依頼データ群のうちの少なくとも一つの前記依頼データを、前記複数の情報処理装置のうちの少なくとも一の車両の情報処理装置へ送信し、
前記少なくとも一の車両の情報処理装置または前記サーバは、
前記少なくとも一の車両とは異なる他の車両の情報処理装置に対して、前記走行状況データを取得することへの協力を要請し、
前記少なくとも一の車両の情報処理装置は、
受信した前記依頼データに基づいて、前記他の車両と協力して取得した前記走行状況データを前記サーバへ送信する、車両の走行状況データ収集システム。
【請求項２】
前記少なくとも一の車両の情報処理装置または前記サーバは、
前記他の車両の情報処理装置に対して、協力を要請するに際し、
前記他の車両に関する情報または、前記他の車両の乗員に関する情報または前記他の車両に関する情報に基づいて、当該他の車両の情報処理装置に協力を要請するか否かを判定する、請求項１に記載の車両の走行状況データ収集システム。
【請求項３】
前記他の車両の乗員に関する情報には、当該乗員が、過去に前記走行状況データの取得への協力において、非協力的な行動を行ったか否かの情報が含まれる、請求項２に記載の車両の走行状況データ収集システム。
【請求項４】
前記依頼データは、前記依頼に対する報酬を含み、
前記サーバ、前記依頼者または、前記少なくとも一の車両の情報処理装置は、前記走行状況データに応じて、前記他の車両の情報処理装置に対して前記報酬に関する報酬データを送信する、請求項１〜３のいずれか一項に記載の車両の走行状況データ収集システム。
【請求項５】
前記サーバは、前記依頼データを前記複数の車両のそれぞれの情報処理装置へ送信し、
前記複数の車両のそれぞれの情報処理装置は、互いに協力して前記依頼データに基づいて前記走行状況データを取得し、
前記それぞれの情報処理装置の少なくとも一つは、取得した前記走行状況データを前記サーバへ送信する、請求項１に記載の車両の走行状況データ収集システム。
【請求項６】
前記依頼データは、前記依頼に対する報酬を含み、
前記サーバ、または前記依頼者は、前記走行状況データの取得状態に応じて、前記複数の車両のそれぞれの情報処理装置に対して前記報酬に関する報酬データを送信する、請求項５に記載の車両の走行状況データ収集システム。
【請求項７】
依頼者により設定された、車両の走行状況データ収集の依頼の内容を含む依頼データを少なくとも一つ含む依頼データ群を記憶し、
前記依頼データ群のうちの少なくとも一つの前記依頼データを、複数の情報処理装置のうちの少なくとも一の情報処理装置へ送信し、
前記少なくとも一の情報処理装置とは異なる他の情報処理装置に対して、前記走行状況データを取得することへの協力を要請する、サーバ。
【発明の詳細な説明】
【技術分野】
【０００１】
本発明は、車両の走行状況データ収集システム及びサーバに関する。
【背景技術】
【０００２】
近年、様々な条件下での車両の走行状況に関するデータを収集することが求められている。例えば、下記特許文献１には、新車の購入に際して、販売済みの車両の走行状況に関するデータを収集、提供するサーバを含むデータ収集システムに関する技術が記載されている。
【先行技術文献】
【特許文献】
【０００３】
【特許文献１】特開２００５−４４０５８号公報
【発明の概要】
【発明が解決しようとする課題】
【０００４】
しかし、依頼者が希望する走行状況に関するデータが、複数の車両が協力することで取得できる場合、単独の車両にデータ収集を依頼するだけでは依頼者の希望に沿ったデータが収集されないおそれがある。
【０００５】
そこで、本発明は、上記問題に鑑みてなされたものであり、本発明の目的とするところは、複数の車両の協力を得ながら車両の走行状況データを収集することを容易にする、新規かつ改良された車両の走行状況データ収集システム及びサーバを提供することにある。
【課題を解決するための手段】
【０００６】
上記課題を解決するために、本発明のある観点によれば、車両の走行状況データ収集システムは、複数の情報処理装置と、サーバと、を含み、上記複数の情報処理装置は、複数の車両において、それぞれの車両の走行状況データを取得し、上記サーバは、依頼者により設定された、車両の走行状況データ収集の依頼の内容を含む依頼データを少なくとも一つ含む依頼データ群を記憶し、上記依頼データ群のうちの少なくとも一つの上記依頼データを、上記複数の情報処理装置のうちの少なくとも一の車両の情報処理装置へ送信し、上記少なくとも一の車両の情報処理装置または上記サーバは、上記少なくとも一の車両とは異なる他の車両の情報処理装置に対して、上記走行状況データを取得することへの協力を要請し、上記少なくとも一の車両の情報処理装置は、受信した上記依頼データに基づいて、上記他の車両と協力して取得した上記走行状況データを上記サーバへ送信する、車両の走行状況データ収集システムが提供される。
【０００７】
上記少なくとも一の車両の情報処理装置または上記サーバは、上記他の車両の情報処理装置に対して、協力を要請するに際し、上記他の車両に関する情報または、上記他の車両の乗員に関する情報または上記他の車両に関する情報に基づいて、当該他の車両の情報処理装置に協力を要請するか否かを判定してもよい。
【０００８】
上記他の車両の乗員に関する情報には、当該乗員が、過去に上記走行状況データの取得への協力において、非協力的な行動を行ったか否かの情報が含まれてもよい。
【０００９】
上記依頼データは、上記依頼に対する報酬を含み、上記サーバ、上記依頼者または、上記少なくとも一の車両の情報処理装置は、上記走行状況データに応じて、上記他の車両の情報処理装置に対して上記報酬に関する報酬データを送信してもよい。
【００１０】
上記サーバは、上記依頼データを上記複数の車両のそれぞれの情報処理装置へ送信し、上記複数の車両のそれぞれの情報処理装置は、互いに協力して上記依頼データに基づいて上記走行状況データを取得し、上記それぞれの情報処理装置の少なくとも一つは、取得した上記走行状況データを上記サーバへ送信してもよい。
【００１１】
上記依頼データは、上記依頼に対する報酬を含み、上記サーバ、または上記依頼者は、上記走行状況データの取得状態に応じて、上記複数の車両のそれぞれの情報処理装置に対して上記報酬に関する報酬データを送信してもよい。
【００１２】
上記課題を解決するために、本発明の他の観点によれば、依頼者により設定された、車両の走行状況データ収集の依頼の内容を含む依頼データを少なくとも一つ含む依頼データ群を記憶し、上記依頼データ群のうちの少なくとも一つの上記依頼データを、複数の情報処理装置のうちの少なくとも一の情報処理装置へ送信し、上記少なくとも一の情報処理装置とは異なる他の情報処理装置に対して、上記走行状況データを取得することへの協力を要請する、サーバが提供される。
【発明の効果】
【００１３】
以上説明したように本発明によれば、複数の車両の協力を得ながら車両の走行状況データの収集を容易にする車両の走行状況データ収集システム及びサーバが提供される。
【図面の簡単な説明】
【００１４】
【図１】本発明の第１の実施形態に係るネットワーク構成例を示す図である。
【図２】同実施形態に係る情報処理装置のブロック構成例を示す図である。
【図３】同実施形態に係る走行状況データ収集システムの動作例を示すシーケンス図である。
【図４Ａ】同実施形態に係る走行状況データ取得の一の協力例を説明する図である。
【図４Ｂ】同実施形態に係る走行状況データ取得の一の協力例を説明する図である。
【図５Ａ】同実施形態に係る走行状況データ取得の他の協力例を説明する図である。
【図５Ｂ】同実施形態に係る走行状況データ取得の他の協力例を説明する図である。
【図５Ｃ】同実施形態に係る走行状況データ取得の他の協力例を説明する図である。
【図６Ａ】同実施形態に係る走行状況データ収集システムの一の変形例を示すシーケンス図である。
【図６Ｂ】同変形例に係る走行状況データ収集システムのシーケンス図である。
【図７】同実施形態に係る他の変形例における走行経路の選択について説明する図である。
【発明を実施するための形態】
【００１５】
以下に添付図面を参照しながら、本発明の好適な実施の形態について詳細に説明する。なお、本明細書及び図面において、実質的に同一の機能構成を有する構成要素については、同一の符号を付することにより重複説明を省略する。
【００１６】
＜１．第１の実施形態＞
［１．１．車両の走行状況データ収集システムの概要］
まず、図１を参照して、本発明の第１の実施形態に係る車両の走行状況データ収集システム１００の概要について説明する。図１は、本発明の第１の実施形態に係るネットワーク構成例を示す図である。本実施形態に係る車両の走行状況データ収集システム１００は、車両の走行状況データを収集するためのシステムである（なお、以下の説明において、車両の走行状況データ収集システムを、単に「データ収集システム」と称することがある）。図１に示すように、本実施形態に係るデータ収集システム１００では、走行状況データの収集を依頼する立場（依頼者１０１）からのデータ収集の依頼が、サーバ１０３を介して当該依頼を受託する立場（受託者１０５）へ伝達される。さらに、受託者１０５による当該依頼が達成された結果が走行状況データとして収集される。
【００１７】
より具体的には、データ収集システム１００において、依頼者１０１が設定したデータ収集の依頼の内容を含む依頼データは、サーバ１０３に記憶される。例えば、依頼者１０１ａ、依頼者１０１ｂ、および依頼者１０１ｃから、それぞれ依頼Ａ、依頼Ｂ、および依頼Ｃがなされると、サーバ１０３には依頼データＡ、依頼データＢ、および依頼データＣを含む依頼データ群が記憶される。サーバ１０３は、依頼データ群の中から少なくとも一つの依頼データを、受託者１０５側の情報処理装置２００へ送信する。受託者１０５は、情報処理装置２００が受信した依頼データから依頼の内容を確認し、依頼を受託し、協力して実行する。依頼の実行結果としての走行状況データは、情報処理装置２００からサーバ１０３へ送信される。サーバ１０３は、収集された走行状況データを依頼者側情報処理装置１０９へと送信する。
【００１８】
依頼者１０１は、個人に限定されるものではなく、企業、自治体、公共機関その他の団体も含まれる。また、受託者１０５は、車両１０７の乗員または所有者である。受託者１０５には、複数の受託者１０５ａ〜１０５ｃが含まれる。
【００１９】
走行状況データには、車両１０７自体の状態、車両１０７の有する機能、装備の状態、および、天気や路面状況等の車両１０７の周辺の環境等、車両１０７の走行に関する種々の情報が含まれる。
【００２０】
依頼の内容としては、走行状況データの収集に関するものであればよく、特に限定されない。例えば、依頼者１０１が、道路管理会社である場合、特定の道路の路面状況や天気等の情報に関する走行状況データの収集の依頼がなされる。また、依頼者１０１が、自動車メーカである場合、販売後の自動車およびその装備が、ユーザによってどのように使用されているか等の走行状況データの収集の依頼がなされる。その他、依頼者１０１が旅行を計画している、または旅行中である場合、行き先の天気、風景、目的地までの到達時間、渋滞状況等の走行状況データの収集の依頼がなされる。
【００２１】
また、依頼の内容には、複数の車両１０７ａ〜１０７ｃにより取得可能な走行状況データの収集に関するものが含まれる。
【００２２】
［１．２．ネットワーク構成例］
引き続き、図１を参照しながら、本実施形態に係る車両の走行状況データ収集システム１００のネットワーク構成例について説明する。図１に示すように、データ収集システム１００は、サーバ１０３と、車両１０７において走行状況データを取得する情報処理装置２００と、を含んで構成される。また、データ収集システム１００は、依頼者側情報処理装置１０９を含んでもよい。
【００２３】
サーバ１０３は、依頼者１０１により設定された、走行状況データ収集の依頼の内容を含む少なくとも一つの依頼データ群を記憶する機能を有する。また、サーバ１０３は、依頼データ群のうちの少なくとも一つの依頼データを情報処理装置２００へ送信する機能を有する。また、サーバ１０３は、依頼データを、複数の車両１０７ａ〜１０７ｃにおいて走行状況データを取得する複数の情報処理装置２００ａ〜２００ｃの内、少なくともいずれか一つの車両の情報処理装置２００へ送信する機能を有する。また、サーバ１０３は、情報処理装置２００から送信された走行状況データを依頼者側情報処理装置１０９へ送信する機能を有してもよい。
【００２４】
情報処理装置２００は、ネットワーク１１１ａを介してサーバ１０３と通信可能に接続されている。また、情報処理装置２００は、サーバ１０３から受信した依頼データに基づいて、車両１０７の走行状況データを取得する機能を有する。また、情報処理装置２００は、取得した走行状況データをサーバ１０３へ送信する機能を有する。また、複数の情報処理装置２００ａ〜２００ｃは、複数の車両１０７ａ〜１０７ｃにおいて、それぞれ走行状況データを取得する機能を有する。一の車両１０７ａにおける情報処理装置２００ａは、他の車両１０７ｂ、１０７ｃの情報処理装置２００ｂ、２００ｃと互いに通信可能に接続されている。情報処理装置２００についての詳細は後述する。
【００２５】
依頼者側情報処理装置１０９は、ネットワーク１１１ｂを介してサーバ１０３と通信可能に接続されている。依頼者１０１は、依頼者側情報処理装置１０９を利用して、依頼の内容を含む走行状況データの収集の依頼に関する設定をすることができる。依頼者側情報処理装置１０９は、ネットワーク１１１ｂを介して、依頼データをサーバ１０３へ送信する機能を有する。依頼者側情報処理装置１０９は、サーバ１０３との通信および依頼データの入力受付が可能な装置であればよく、特に限定されない。依頼者側情報処理装置１０９として、例えば、図１に示すように、スマートフォン１０９ａ、パーソナルコンピュータ１０９ｂ、車載制御装置１０９ｃ等が挙げられる。
【００２６】
［１．３．情報処理装置の構成例］
次に、図２を参照して、本実施形態に係る情報処理装置２００の構成例について説明する。図２は、本実施形態に係る情報処理装置２００のブロック構成例を示す図である。情報処理装置２００は、制御部２１０と、通信部２２０とを有する。
【００２７】
制御部２１０は、走行状況データを取得するために必要なセンサ群３１０の制御、取得した走行状況データの記録、通信部２２０への出力等の各種機能を発揮するために必要な制御を行う。
【００２８】
通信部２２０は、ネットワーク１１１ａを介して情報処理装置２００の外部と通信する機能を有する。また、一の車両１０７ａにおける情報処理装置２００ａの通信部は、他の車両１０７ｂ、１０７ｃの情報処理装置２００ｂ、２００ｃの通信部と通信する機能を有する。
【００２９】
情報処理装置２００の一例としては、車載制御装置が挙げられる。また、制御部２１０の機能は、一例として、情報処理装置に搭載されたＣＰＵ（Ｃｅｎｔｒａｌ  Ｐｒｏｃｅｓｓｉｎｇ  Ｕｎｉｔ）、ＲＡＭ（Ｒａｎｄｏｍ  Ａｃｃｅｓｓ  Ｍｅｍｏｒｙ）、ＲＯＭ（Ｒｅａｄ  Ｏｎｌｙ  Ｍｅｍｏｒｙ）等の協働により実現される。また、通信部２２０としての機能は、一例として、無線通信用インタフェースにより実現される。
【００３０】
制御部２１０は、データ取得部２１１と、データ記録部２１３とを有する。データ取得部２１１は、データ計測装置３１１および車両位置計測装置３１３から出力される各種データを取得する機能を有する。また、データ記録部２１３は、データ取得部２１１が取得した各種データを一時的または永続的に記憶しておく機能を有する。
【００３１】
データ計測装置３１１は、センサ群３１０から取得されるセンサ信号に基づいて車両１０７の走行状況に関する情報を検出する。センサ群３１０は、走行状況データとしての各種データを取得するための複数のセンサである。例えば、センサ群３１０は、車輪速センサ、車速センサ、加速度センサ、角速度センサ、温度センサ、湿度センサ、雨滴センサ、照度センサ、荷重センサ、操舵角センサ、集音センサ（マイク）、振動センサ、撮像カメラ、レーダ又は超音波センサのうちの少なくともいずれかを含む。データ計測装置３１１は、例えば、車両１０７の速度、加速度、角加速度、路面の粗さの推定値、周辺の気温、湿度等を計測する。また、データ計測装置３１１は、車両１０７の周辺の静止画、動画の撮影、または音声を検出する。
【００３２】
車両位置計測装置３１３は、車両１０７の現在位置計測を行う。車両位置計測装置３１３の例としては、ＧＰＳ（Ｇｌｏｂａｌ  Ｐｏｓｉｔｉｏｎｉｎｇ  Ｓｙｓｔｅｍ）アンテナが挙げられる。
【００３３】
出力装置３２０は、制御部２１０の処理結果等を外部へ出力する機能を有する。出力装置３２０の一例としては、表示パネル、ヘッドアップディスプレイ、スピーカ等である。また、入力装置３３０は、情報処理装置２００の利用者からの入力を受け付ける機能を有する。入力装置３３０の一例としては、ボタン、タッチ入力式の画面、マイク等である。
【００３４】
なお、情報処理装置２００は、走行状況データを取得できればよく、車載制御装置に限定されない。例えば、情報処理装置２００は、車両１０７の各種センサと通信可能なスマートフォン、タブレット型コンピュータ等であってもよい。この場合、出力装置３２０および入力装置３３０は、情報処理装置２００と一体となっていてもよい。また、センサ群３１０の内の一部または全部として、スマートフォン等に搭載された各種センサ、機能が使用されてもよい。
【００３５】
［１．４．データ収集システムの動作例］
次に、図３、図４Ａ、および図４Ｂを参照して、本実施形態に係る車両の走行状況データ収集システム１００の動作例について説明する。図３は、本実施形態に係る車両の走行状況データ収集システム１００の動作例を示すシーケンス図である。図４Ａおよび図４Ｂは、本実施形態に係る走行状況データ取得の一の協力例を説明する図である。
【００３６】
図３に示すように、まず依頼者１０１は、依頼者側情報処理装置１０９を利用して、依頼データをサーバ１０３に送信する（Ｓ１０１）。サーバ１０３は、依頼者側情報処理装置１０９から受信した依頼データを依頼データ群として記憶する（Ｓ１０３）。
【００３７】
サーバ１０３は、依頼データ群の中から送信対象となる、一または複数の依頼データを選択し、情報処理装置２００へ当該依頼データを送信する（Ｓ１０５）。依頼データを受信した情報処理装置２００は、受託者１０５が当該依頼データの依頼について受託の意思があるか否かについて判定する（Ｓ１０７）。特に、情報処理装置２００が複数の依頼データを受信した場合、複数の依頼データの内のいずれか、または全部について受託者１０５に受託の意思があるか否かを判定する。ステップＳ１０７において、受託の意思があると判定された場合、依頼は受託される（Ｓ１０９）。一方、ステップＳ１０７において、受託の意思があると判定されなかった場合、本実施形態に係る処理は終了する。
【００３８】
ステップＳ１０９で依頼が受託された後、サーバ１０３は、依頼データの依頼の内容に基づいて、依頼の実行に協力可能、または協力する車両（協力車両）が必要か否かを判定する（Ｓ１１１）。協力車両が必要であると判定されない場合、単独の車両での依頼の実行が可能であるから、本実施形態に係る処理は、終了する。一方、ステップＳ１１１において、協力車両が必要であると判定された場合、サーバ１０３は、協力車両を探索する。例えば、サーバ１０３は、車両１０７から提供されるＧＰＳ位置情報、または高速道路もしくは主要幹線道路の走行履歴に基づいて、協力車両を探索する。
【００３９】
なお、サーバ１０３と車両１０７の情報処理装置２００との通信状態が悪いときは、情報処理装置２００が、車車間通信によって、協力車両を探索してもよい。この場合、探索結果は、情報処理装置２００からサーバ１０３へ送信される。
【００４０】
ステップＳ１１３における探索の結果、サーバ１０３により協力車両がいるか否かが判定される（Ｓ１１５）。協力車両がいると判定されなかった場合、ステップＳ１１３に戻って再度、車両探索を行う。一方、ステップＳ１１５で、協力車両がいると判定された場合、サーバ１０３は、協力車両に関する情報を情報処理装置２００へ送信する（Ｓ１１７）。
【００４１】
情報処理装置２００は、走行状況データの取得を開始する（Ｓ１１９）。具体的には、情報処理装置２００のデータ取得部２１１は、データ計測装置３１１又は車両位置計測装置３１３から出力された、依頼の達成に必要な情報を取得する。また、情報処理装置２００は、依頼内容に応じて、運転者に対して情報（指定された運転方法、経路等）を音声、画像等で出力する。
【００４２】
また、情報処理装置２００は、サーバ１０３から受信した情報に基づいて、協力車両を特定する。さらに、情報処理装置２００は、協力車両の情報処理装置に対して、依頼の実行に関して協力を要請する。より具体的には、走行状況データを取得する際の複数の車両の協力例として、図４Ａ、図４Ｂに示すように、自車両よりも前方を走行中の協力車両に対し、進路を譲るよう要請する例が挙げられる。すなわち、図４Ａに示すように、車両１０７ａの前方に車両１０７ｂが走行中であるとする。このとき、車両１０７ａが所定速度での走行に関する依頼を実行中である場合、車両１０７ａの情報処理装置２００ａは、協力車両としての車両１０７ｂの情報処理装置２００ｂに対し、進路を譲るように要請する。具体的には、車両１０７ａの情報処理装置２００ａと、車両１０７ｂの情報処理装置２００ｂとの間で車間通信がなされ、進路変更に関する情報が、車両１０７ｂの運転者に通知される。
【００４３】
その後、図４Ｂに示すように、車両１０７ｂは、車線変更して、車両１０７ａに進路を譲る。車両１０７ａは、所定速度走行の依頼を実行する。このように、複数の車両が協力して、走行状況データが取得される。
【００４４】
なお、ステップＳ１１７における協力車両の情報処理装置への協力の要請は、サーバ１０３から行われるようにしてもよい。
【００４５】
図３の説明に戻り、ステップＳ１１７において走行状況データが取得された後、情報処理装置２００は、依頼が達成されたか否かを判定する（Ｓ１２１）。ステップＳ１１９において、依頼が達成されたと判定された場合、情報処理装置２００は、サーバ１０３へ走行状況データを送信する（Ｓ１２５）。複数の依頼が受託されている場合、走行状況データは、依頼が達成されるごとにサーバ１０３へ送信されてもよいし、複数の依頼に関する走行状況データがまとめてサーバ１０３へ送信されてもよい。
【００４６】
一方、ステップＳ１１９において、依頼が達成されたと判定されない場合、受託者１０５に依頼続行の意思があるか否かが判定される（Ｓ１２３）。受託者１０５に依頼続行の意思がある場合、ステップＳ１１９の処理に戻って、走行状況データの取得が行われる。一方、ステップＳ１２３において、受託者１０５に依頼続行の意思があると判定されない場合、本実施形態に係る処理は終了する。以上、本実施形態に係る車両の走行状況データ収集システム１００の動作例について説明した。
【００４７】
本実施形態によれば、複数の車両が協力して走行状況データを取得する。これにより、単独の車両では取得が困難な、複数の車両が協力した場合に取得可能な走行状況データが取得される。
【００４８】
なお、本実施形態において、走行状況データを取得する際の複数の車両の協力例として、協力車両に対し進路を譲るよう要請する例を説明したが、本発明における協力例は、これに限定されない。
【００４９】
以下、走行状況データを他の車両と協力して取得するその他の例について、図５Ａ〜５Ｃを参照しながら説明する。図５Ａ〜５Ｃは、本実施形態に係る走行状況データ取得の他の協力例を説明する図である。本実施形態において、走行状況データを他の車両と協力して取得する例として、複数の車両による隊列走行が行われる例が挙げられる。
【００５０】
具体的には、情報処理装置２００ａが、複数の車両による隊列走行が必要な依頼データを受信したとする。このとき、図５Ａに示すように、複数の車両１０７ａ〜１０７ｃは、異なる地点を走行中である。そこで、情報処理装置２００ａは、協力車両である車両１０７ｂ、１０７ｃの情報処理装置２００ｂ、２００ｃと通信し、隊列走行への協力を要請する。この結果、図５Ｂに示すように、複数の車両１０７ａ〜１０７ｃは、一旦、駐車場や一時駐車可能な路側帯に集合する。その後、図５Ｃに示すように、複数の車両１０７ａ〜１０７ｃにより隊列走行が行われ、走行状況データが取得される。
【００５１】
隊列走行において、取得可能な走行状況データの例として、荷重センサまたはマイクによる隊列走行時の空力計測結果が挙げられる。その他の例として、隊列走行時の消費エネルギー効率（燃費、電費）の計測結果が挙げられる。また、その他の例として、マイクによる隊列走行時の騒音計測結果が挙げられる。具体的な騒音としては、ロードノイズ、エンジン音が挙げられる。
【００５２】
また、隊列走行時に取得可能な走行状況データには、各車両がそれぞれ取得した各種走行状況データも含まれる。隊列走行時、各車両はほぼ同一の条件で走行しているため、このとき取得された走行状況データは、同一条件下で取得された走行状況データとなる。従って、同一条件下の走行状況データ数が増え、データの信頼性が向上する。
【００５３】
また、隊列走行時に取得可能な走行状況データには、一定速度で走行した場合の交通流の調整結果が含まれる。さらに、隊列走行時に取得可能な走行状況データには、定速走行・車間距離制御装置（ＡＣＣ；Ａｄａｐｔｉｖｅ  Ｃｒｕｉｓｅ  Ｃｏｎｔｒｏｌ）、定速走行制御装置（ＣＣ；Ｃｒｕｉｓｅ  Ｃｏｎｔｒｏｌ）の性能評価結果が含まれる。具体的には、ステレオカメラ等の前方車間距離センサを用いて、定速走行・車間距離制御装置、定速走行制御装置を複数の車両において使用した場合の車間距離の変化、各車両における加減速のタイミングの違い等の測定結果が、走行状況データとして取得される。
【００５４】
また、隊列走行時に取得可能な走行状況データには、自動運転機能の性能評価結果が含まれる。具体的には、自動運転機能の作動時、車両が高速道路や主要幹線道路へ合流する際の所要時間、合流先の車間距離もしくは合流された側の車両のブレーキの使用の有無もしくは程度の測定結果が、隊列走行時の走行状況データとして含まれる。
【００５５】
隊列走行以外に複数の車両が協力して走行状況データを取得する例には、次のような例も含まれる。例えば、同一車線を走行する車両だけではなく、対向車線を走行する協力車両と協力する例も含まれる。この場合、例えば、協力車両である対向車と協力して、照度センサ、撮像カメラにより、ヘッドライト性能評価が行われる。その測定結果（照度、照射範囲または照射角度、色温度等）が、走行状況データとして取得される。
【００５６】
また、その他の複数の車両が協力して走行状況データを取得する例として、複数の車両による並列走行の例が挙げられる。並列走行において、取得可能な走行状況データの例として、横風の影響に関する測定結果が挙げられる。具体的には、荷重センサ、加速度センサまたは操舵角センサにより、自車両側方を走行する協力車両から受ける横風の影響を測定した結果が、走行状況データとして取得される。
【００５７】
また、その他の複数の車両が協力して走行状況データを取得する例として、所定距離だけ離れた協力車両と協力する例が挙げられる。具体的には、所定距離離れた場所に位置する協力車両において発生したロードノイズ、エンジン音をマイクにより測定した結果が、走行状況データとして取得される。
【００５８】
また、その他の複数の車両が協力して走行状況データを取得する例として、同一の車種、型式、色の車両が集まって協力する例が挙げられる。同一の車種、色の車両が集まって走行する、または特定の場所で駐車している様子を撮像カメラで撮影した結果が、走行状況データとして取得される。以上、走行状況データを他の車両と協力して取得する例について説明した。
【００５９】
＜１．５．変形例１＞
次に、本実施形態に係る車両の走行状況データ収集システム１００の変形例について説明する。本変形例において、情報処理装置２００は、協力可能な車両に協力を要請する際に、協力車両の乗員に関する情報、または協力車両に関する情報に基づいて、協力要請を行うか否かを判定する。なお、本変形例におけるその他の構成については、第１の実施形態と共通するので、説明は省略する。
【００６０】
本変形例における、協力車両への協力要請処理（図３のステップＳ１１７に相当）において、情報処理装置２００は、協力車両の乗員に関する情報、または協力車両に関する情報に基づいて、協力車両に協力の要請を行うか否かを判定する。ここで、協力車両の乗員に関する情報には、性別、年齢、運転経験もしくは技能等が含まれる。また、協力車両に関する情報には、車両の車種、型式、使用年数、走行距離、外観もしくは内装の状態、または搭載された設備もしくは機能の種類、性能もしくは精度等が含まれる。
【００６１】
協力車両の乗員に関する情報、または協力車両に関する情報はサーバ１０３に記録されている。情報処理装置２００は、依頼への協力を要請するに際し、サーバ１０３からこれらの情報を受信し、当該情報に基づいて、協力車両に協力を要請するか否かを判定する。例えば、依頼の内容が複数の車両１０７ａ〜１０７ｃによる同一条件下での走行状況データ取得であるとき、車両の条件を揃えるため、情報処理装置２００は、協力車両の車種に基づいて協力要請するか否かを判定する。
【００６２】
協力車両の乗員に関する情報には、当該乗員が、過去に走行状況データの取得への協力において、非協力的な行動を行ったか否かに関する情報が含まれる。ここで、非協力的な行動とは、意図的に依頼の達成を妨げるような行動をいう。例えば、協力車両に対し、進路を後続車両に譲るという協力が要請されたとき、データの取得を妨害する目的で進路を譲らない等の行為が挙げられる。情報処理装置２００は、協力車両の乗員に関する情報に、過去の非協力的な行動を行ったことが含まれる場合、協力要請を行わないと判定する。
【００６３】
情報処理装置２００は、協力要請に関する判定の結果に基づいて、協力要請を行う。
【００６４】
本変形例によれば、協力要請に際し、情報処理装置２００において、協力要請をするか否か判定がされるので、不要な協力要請をすることがなく、協力して走行状況データを取得することが容易となる。
【００６５】
本変形例によれば、車両の乗員に関する情報の内、乗員が過去に非協力的な行動を行ったか否かに基づいて、協力要請を行うか判定されるので、不要な協力要請をすることがなく、協力して走行状況データを取得することが容易となる。
【００６６】
なお、本変形例において、協力要請を行うか否かの判定が、情報処理装置２００において行われる例を示したが、本変形例はこれに限定されない。例えば、サーバ１０３において、協力車両に対して協力要請を行うか否かの判定がなされてもよい。この場合、当該判定結果に基づいて、情報処理装置２００から協力車両へ協力要請がされてもよいし、サーバ１０３から協力車両へ協力要請がされてもよい。
【００６７】
＜１．６．変形例２＞
次に、図６Ａおよび図６Ｂを参照して、本実施形態に係る車両の走行状況データ収集システム１００の変形例について説明する。図６Ａおよび図６Ｂは、本変形例に係る走行状況データ収集システム１００の動作例を示すシーケンス図である。本変形例において、依頼データには、依頼者１０１により設定された、依頼に対する報酬に関する情報が含まれる。さらに、受託者１０５が依頼を受託し、達成した場合、依頼者１０１から依頼に対する報酬が支払われ、分配される。なお、本変形例におけるその他の構成については、第１の実施形態と共通するので、説明は省略する。
【００６８】
図６Ａに示すように、依頼者１０１は、依頼データをサーバ１０３に送信する際に、依頼の内容とともに、当該依頼に対する報酬に関する情報も設定し、依頼データを送信する（Ｓ１０１’）。その後の本変形例に係るステップＳ１０３〜Ｓ１２５の処理は、図３に記載のシーケンス図と同様な処理が行われる。
【００６９】
ステップＳ１２５において、情報処理装置２００からサーバ１０３へ走行状況データが送信された後、図６Ｂに示すように、サーバ１０３は、走行状況データを受信し（Ｓ１２７）、依頼者側情報処理装置１０９へ走行状況データを送信する（Ｓ１２９）。依頼者１０１は、依頼の達成結果の情報を確認し、達成結果に応じた報酬を支払う（Ｓ１３１）。報酬の支払に関する処理は、依頼者側情報処理装置１０９から報酬に関する報酬データが情報処理装置２００へ送信されることで行われる。受託者１０５は、依頼に対する報酬の情報について確認するとともに、協力車両との間で報酬を分配する（Ｓ１３３）。具体的には、車両１０７の情報処理装置２００は、走行状況データに応じて、協力車両の情報処理装置に対して報酬に関する報酬データを送信してもよい。また、依頼者１０１から直接、協力車両の情報処理装置に対して、報酬に関する報酬データが送信されてもよい。
【００７０】
本変形例において、報酬は、依頼者１０１からではなく、サーバ１０３から自動的に支払われるようにしてもよい。この場合、報酬に関し、依頼者１０１へ別途請求が行われる。
【００７１】
また、報酬は、金銭、ポイント等の経済的な価値を有するものだけでなく、名誉または肯定的な評価もしくはコメント等の社会的な価値を有するものでもよい。また、報酬は、金銭だけでなく、役務の提供であってもよい。
【００７２】
また、報酬の支払に関する処理は、本実施形態に係るデータ収集システム１００とは、異なる情報処理システムにおいて行われてもよい。具体的には、電子通貨、仮想通貨、クレジットカード決済などを用いた電子的決済システムを用いて、依頼者１０１から受託者１０５へ報酬の支払処理が行われる。この場合、報酬に関する報酬データは、受託者１０５に対して送信されなくてもよいし、報酬データには報酬の支払に関する事前又は事後の通知のみが記載されてもよい。
【００７３】
本変形例によれば、依頼の達成により、受託者１０５に報酬が支払われるので、受託者１０５による依頼の受託に対するインセンティブが生じる。また、受託者１０５は、依頼を受託するか検討する際、報酬によって受託するか否かを判断することができる。このため、受託者１０５が積極的に依頼を受託し、依頼をよく達成するようになる。また、協力車両も報酬を得られるので、依頼の達成に協力するようになる。この結果、複数の車両が協力して取得可能な走行状況データが収集される。
【００７４】
＜１．７．変形例３＞
次に、図７を参照して、本実施形態に係る車両の走行状況データ収集システム１００のその他の変形例について説明する。図７は、本実施形態に係る走行経路の選択について説明する図である。本変形例では、依頼データを受信した情報処理装置２００は、当該依頼データに基づいて車両の走行経路を示す走行経路データを算出する。なお、本変形例におけるその他の構成については、第１の実施形態と共通するので、説明は省略する。
【００７５】
具体的には、本変形例における、サーバ１０３から送信対象となる依頼データを情報処理装置２００へ送信する処理（図３のステップＳ１０７に相当）において、サーバ１０３は、依頼データを情報処理装置２００へ送信する。情報処理装置２００は、サーバ１０３から送信された依頼データを受信後、受信した依頼データの依頼の内容の情報を考慮し、効率的に依頼を達成するための一つまたは複数の走行経路データを算出する。
【００７６】
例えば、受託者１０５が、３件の依頼Ａ、依頼Ｂおよび依頼Ｃを受託した場合、情報処理装置２００は、依頼Ａ、依頼Ｂおよび依頼Ｃの依頼の内容等を考慮して、車両１０７の走行経路を算出する。このとき、図７に示すように、受託者１０５には、情報処理装置２００が算出した走行経路である、依頼達成経路１（点線）および依頼達成経路２（二点鎖線）が示される。さらに、このとき受託者１０５には、依頼達成経路ごとに、要する時間、走行距離、達成した場合に得られる報酬等の情報が併せて示される。受託者１０５は、これらの情報を基に走行経路を選択する。
【００７７】
本変形例によれば、情報処理装置２００は受信した依頼データに基づいて走行経路データを算出するので、受託者１０５は、より効率的に依頼を実行できる。この結果、より効率的に、複数の車両が協力して走行状況データが収集される。
【００７８】
なお、本変形例において、走行経路データが情報処理装置２００において算出される例を示したが、本変形例はこれに限定されない。例えば、サーバ１０３は、送信対象となる依頼データから走行経路を算出し、走行経路データを情報処理装置２００へ送信してもよい。特に、サーバ１０３は、情報処理装置２００に依頼データを送信する際に、走行経路データを合わせて送信するようにしてもよい。
【００７９】
これにより、情報処理装置２００に不要な負担をかけることなく、走行経路データが算出され、走行経路が受託者１０５に示される。また、依頼データとともに走行経路データがサーバ１０３から送信されるので、受託者１０５は、依頼データ受信の後、すぐに走行経路の確認ができ、走行経路も考慮しつつ受託する依頼を選択できるとともに迅速な依頼の開始が実現される。
【００８０】
＜第２の実施形態＞
次に、本発明の第２の実施形態に係る車両の走行状況データ収集システム１００の動作例について説明する。本実施形態に係る車両の走行状況データ収集システム１００は、サーバ１０３から複数の車両の情報処理装置２００へ依頼データが送信され、複数の車両により協力して走行状況データが取得される点で、第１の実施形態と相違する。なお、本実施形態に係るデータ収集システム１００の内、第１の実施形態と共通する部分については、説明を省略する。
【００８１】
本実施形態における、サーバ１０３が情報処理装置２００へ送信対象となる依頼データを送信する処理（図３のステップＳ１０５に相当）においては、サーバ１０３から複数の車両１０７ａ〜１０７ｃのそれぞれの情報処理装置２００ａ〜２００ｃへ依頼データが送信される。それぞれの情報処理装置２００ａ〜２００ｃは、受信した依頼データに基づいて、互いに協力して走行状況データを取得する。この際、情報処理装置２００ａ〜２００ｃが互いに協力するために、情報処理装置２００ａ〜２００ｃの間で通信が行われてもよい。
【００８２】
具体的には、複数の車両の内の車両１０７ａが、所定の速度で走行している時の走行状況データを取得しているときに、他の車両１０７ｂが、車両１０７ａの走行する車線を走行しているとする。このとき、サーバ１０３から受信した依頼データに基づいて、他の車両１０７ｂは、後続の車両１０７ａに進路を譲る等の協力を行う。
【００８３】
その他の協力例として、複数の情報処理装置２００ａ〜２００ｃが受信した依頼データに基づいて、複数の車両１０７ａ〜１０７ｃにより隊列走行が行われ、隊列走行時の走行状況データが取得されてもよい。
【００８４】
それぞれの情報処理装置２００ａ〜２００ｃの少なくとも一つは、協力して取得した走行状況データをサーバ１０３へ送信する。また、サーバ１０３は、受信した走行状況データを依頼者側情報処理装置１０９へ送信してもよい。
【００８５】
本実施形態によれば、サーバ１０３から直接複数の車両のそれぞれの情報処理装置に依頼データが送信され、協力して走行状況データが取得される。これにより、複数の車両が協力して取得可能な走行状況データが収集される。
【００８６】
なお、本実施形態において、依頼データには、依頼者１０１により設定された、依頼に対する報酬に関する情報が含まれてもよい。さらに、複数の受託者１０５ａ〜１０５ｃが依頼を受託し、協力して達成した場合、依頼者１０１またはサーバ１０３から依頼に対する報酬に関する報酬データが、それぞれの情報処理装置２００ａ〜２００ｃへ送信されてもよい。このとき、依頼者１０１またはサーバ１０３は、協力して取得された走行状況データの取得状態に応じて、複数の情報処理装置２００ａ〜２００ｃに対して報酬データを送信する。
【００８７】
以上、添付図面を参照しながら本発明の好適な実施形態について詳細に説明したが、本発明はかかる例に限定されない。本発明の属する技術の分野における通常の知識を有する者であれば、特許請求の範囲に記載された技術的思想の範疇内において、各種の変更例または修正例に想到し得ることは明らかであり、これらについても、当然に本発明の技術的範囲に属するものと了解される。
【００８８】
特に、上記実施形態において説明したシーケンス図における処理は一部のステップが省略されてもよいし、追加的なステップが含まれてもよい。さらに、複数のステップが同時に処理されてもよく、また、図示された順番で実行されなくてもよい。
【符号の説明】
【００８９】
１００    車両の走行状況データ収集システム
１０１    依頼者
１０３    サーバ
１０５    受託者
１０７    車両
１０９    依頼者側情報処理装置
２００    情報処理装置
２１０    制御部
２１１    データ取得部
２２０    通信部
【図１】
2020160675.tif 000003
【図２】
2020160675.tif 000004
【図３】
2020160675.tif 000005
【図４Ａ】
2020160675.tif 000006
【図４Ｂ】
2020160675.tif 000007
【図５Ａ】
2020160675.tif 000008
【図５Ｂ】
2020160675.tif 000009
【図５Ｃ】
2020160675.tif 000010
【図６Ａ】
2020160675.tif 000011
【図６Ｂ】
2020160675.tif 000012
【図７】
2020160675.tif 000013